(57)【要約】【課題】電子タグ等の超小型サイズの記録装置を利用して商品の不法廃棄を予防することを目的とする。【解決手段】情報を記憶する記憶素子を含む記憶部と前記情報を送受信するアンテナとを有する電子タグが備わる情報保持機能付き商品に前記情報を書き込んだり、読み込んだりする情報保持機能付き商品の情報読み書き管理装置にあって、前記情報保持機能付き商品の購入者名、住所、廃棄手数料を含む購入者情報を管理する管理用コンピュータと、管理用コンピュータの情報を前記電子タグに書き込んだり、電子タグの記憶情報を読み取ったりする書き込み／読み込み装置を有することを特徴とする。【選択図】  図１
2005215734.tif 000002
【特許請求の範囲】
【請求項１】
情報を記憶する記憶素子を含む記憶装置が備わる情報保持機能付き商品にあって、
前記記憶装置に購入者情報を記憶させることを特徴とする情報保持機能付き商品。
【請求項２】
情報を記憶する記憶素子を含む記憶部と、前記情報を送受信するアンテナとを有する電子タグと、この電子タグを備える情報保持機能付き商品にあって、
前記電子タグに購入者名、住所、廃棄手数料を含む購入者情報を記憶させることを特徴とする情報保持機能付き商品。
【請求項３】
情報を記憶する記憶素子を含む記憶部と前記情報を送受信するアンテナとを有する電子タグが備わる情報保持機能付き商品に前記情報を書き込んだり、読み込んだりする情報保持機能付き商品の情報読み書き管理装置にあって、
前記情報保持機能付き商品の購入者名、住所、廃棄手数料を含む購入者情報を管理する管理用コンピュータと、管理用コンピュータの情報を前記電子タグに書き込んだり、電子タグの記憶情報を読み取ったりする書き込み／読み込み装置を有することを特徴とする情報保持機能付き商品の情報読み書き管理装置。
【請求項４】
請求項３記載の情報保持機能付き商品の情報読み書き管理装置にあって、
前記管理用コンピュータに購入者または販売者の情報を入力する情報入力手段を有することを特徴とする情報保持機能付き商品の情報読み書き管理装置。
【請求項５】
請求項３記載の情報保持機能付き商品の情報読み書き管理装置にあって、
前記電子タグの記憶情報を読み取る専用読み込み装置を有することを特徴とする情報保持機能付き商品の情報読み書き管理装置。
【請求項６】
請求項２記載の情報保持機能付き商品にあって、
前記電子タグを商品の銘板またはロゴマークに設けたことを特徴とする情報保持機能付き商品。
【請求項７】
請求項２記載の情報保持機能付き商品にあって、
前記電子タグに記憶される購入者情報は、書き換え、消去可能であることを特徴とする情報保持機能付き商品。
【請求項８】
請求項２記載の情報保持機能付き商品にあって、
前記電子タグは商品の内部に設けたことを特徴とする情報保持機能付き商品。
【請求項９】
請求項２記載の情報保持機能付き商品にあって、
前記購入者情報が記録できるバーコードを含む記録手段を有することを特徴とする情報保持機能付き商品。
【請求項１０】
請求項９記載の情報保持機能付き商品にあって、
前記記録手段は、情報保持機能付き商品に貼られるバーコードラベルを含むラベルであることを特徴とする情報保持機能付き商品。
【請求項１１】
情報を記憶する記憶素子を含む記憶部と前記情報を送受信するアンテナとを有する電子タグが備わる情報保持機能付き商品に前記情報を書き込んだり、読み込んだりする情報保持機能付き商品の情報読み書き管理方法にあって、
前記情報保持機能付き商品の購入者名、住所、廃棄手数料を含む購入者情報を管理する管理用コンピュータと、管理用コンピュータの情報を前記電子タグに書き込んだり、電子タグの記憶情報を読み取ったりする書き込み／読み込み装置を有し、
販売業者またはリサイクル業者あるいは回収業者が、購入者から引き取る廃棄手数料支払い済の情報保持機能付き商品については、記録されている前記購入者情報を消去することを特徴とする情報保持機能付き商品の情報読み書き管理方法。
【請求項１２】
請求項１１に記載される情報保持機能付き商品の情報読み書き管理方法において、
購入者から引き取られる情報保持機能付き商品が、廃棄処分されずに再び販売されるときには前記購入者に廃棄手数料を還金することを特徴とする情報保持機能付き商品の情報読み書き管理方法。
【請求項１３】
情報を記憶する記憶素子を含む記憶部と前記情報を送受信するアンテナとを有する電子タグが備わる情報保持機能付き商品に前記情報を書き込んだり、読み込んだりする情報保持機能付き商品の情報読み書き管理方法にあって、
前記情報保持機能付き商品の購入者名、住所、廃棄手数料を含む購入者情報を管理する管理用コンピュータと、管理用コンピュータの情報を前記電子タグに書き込んだり、電子タグの記憶情報を読み取ったりする書き込み／読み込み装置を有し、
前記電子タグの読み書き交信には、パスワードを含む認証コードを用いることを特徴とする情報保持機能付き商品の情報読み書き管理方法。
【発明の詳細な説明】
【技術分野】
【０００１】
本発明は、電子タグ等の記録装置を有する情報保持機能付き商品に関する。
【０００２】
ここでの商品は、家電品、家具、自動車、自動二輪車など所謂個人消費及び業務用などで使用する商品や病院、企業などで使用する機器、器械などの商品を含む。
【背景技術】
【０００３】
従来の家電品、家具、自動車、自動二輪車など所謂個人消費及び業務用などで使用する商品や病院、企業などで使用する機器、器械などの商品には、商品の製造メーカ名、型式、製造番号、他製品に関する情報が貼られたり、取扱説明書に記載されたりしていた。購入者が商品を購入時に購入者情報及び販売者情報を商品に記載することが無かった。また商品から購入者情報及び販売者情報を得ることが出来なかった。
【０００４】
近年、電子タグ等の超小型サイズの記録装置が出現し、種々の用途が検討されている。電子タグは、例えば、特開平９−１９７９６５号公報（特許文献１）に示されている。
【０００５】
【特許文献１】特開平９−１９７９６５号公報
【発明の開示】
【発明が解決しようとする課題】
【０００６】
使用済み商品の不法廃棄が、問題視されている。この不法廃棄は、家電製品の廃棄処分費用が有料化されたことにも関連している。
【０００７】
本発明は、上記問題に鑑み、電子タグ等の超小型サイズの記録装置を利用して商品の不法廃棄を予防することを目的とする。
【課題を解決するための手段】
【０００８】
本発明は、情報を記憶する記憶素子を含む記憶装置が備わる情報保持機能付き商品にあって、記憶装置に購入者情報を記憶することができるようにしたことを特徴とする。
【０００９】
さらに具体的には、本発明は、情報を記憶する記憶素子を含む記憶部と前記情報を送受信するアンテナとを有する電子タグが備わる情報保持機能付き商品に前記情報を書き込んだり、読み込んだりする情報保持機能付き商品の情報読み書き管理装置にあって、前記情報保持機能付き商品の購入者名、住所、廃棄手数料を含む購入者情報を管理する管理用コンピュータと、管理用コンピュータの情報を前記電子タグに書き込んだり、電子タグの記憶情報を読み取ったりする書き込み／読み込み装置を有することを特徴とする。
【発明の効果】
【００１０】
本発明によれば、不法廃棄された商品に記録されている情報により、不法投棄者が分かるので、不法廃棄の予防に役立つ。
【発明を実施するための最良の形態】
【００１１】
本発明の実施形態に係わる実施例について図面を引用して説明する。
【００１２】
まず、図１を引用して、電子タグ、情報保持機能付き商品、情報読み書き管理装置について説明する。
【００１３】
商品１に電子タグ２が備えられる。電子タグ２は商品の内部に備えたり、埋め込むことも可能である。電子タグ２は、アンテナ２ａとＩＣチップの記憶素子２ｂを含む記憶部を有し、電波を用いてデータを送受信することが出来る非接触型のものである。
【００１４】
記憶素子２ｂのデータ記憶容量は、バーコードなどに比べ非常に多く記憶でき（数十バイト〜数百バイト）、書き込み／読み取り距離も１ｍ位まで出来る。このような電子タグ２を医用機器１は内部に内蔵している。バーコードラベルのように製品の表側に貼り付けていないので、傷、日焼けなどによる劣化しない。この電子タグ２は、外部とのアクセス（交信）を絶えず行うものではないので、劣化影響を受けない内部に設けることができる。
【００１５】
電子タグ２には、情報読み書き管理装置から情報が書き込まれたり、その情報が読まれたりする。
【００１６】
情報読み書き管理装置は、管理用コンピュータ４、書き込み／読み込み装置３を有する。書き込み／読み込み装置３は、アンテナ３ａを有する。このアンテナ３ａと電子タグ２のアンテナ２ａとの間で、非接触による情報信号の送受信交信が行われる。書き込み／読み込み装置３とは、別の電子タグ読み込み専用通信装置８を有する。この電子タグ読み込み専用通信装置８は、読み込み専用であるので、小型で携帯性に向く。
【００１７】
管理用コンピュータ４には、購入者や販売者の情報が情報入力手段により入力される。情報入力手段は、購入者記入カード読み込み装置６と販売者情報入力装置（キーボード）７を有する。
【００１８】
なお、上記電子タグに代えて、アンテナを介さず、情報読み書き管理装置に直に接触させて情報を取り交わすＩＣチップの記憶装置を用いることもできる。
【００１９】
次に図２を引用し、商品の購入から引渡しに至る経緯を情報読み書き管理装置と関連させて説明する。
【００２０】
病院の購入者が、医用機器の商品１を購入する際、営業担当者と契約時に交わす契約書と購入者記入カード５に、購入者の氏名（法人含む）、住所、廃棄時の手数料支払い有無、パスワード、他などの情報を記載する。
【００２１】
営業担当者は、契約時に購入者と交わした購入者記入カード５を、購入者記入カード読み込み装置６を使い、購入者情報を管理用コンピュータ４に読み込む。読み込まれた購入者記入カード５のデータは文字認識され、購入者の氏名（法人含む）、住所、廃棄時の手数料支払い有無、パスワード、他などをテキストデータに変換される。
【００２２】
営業担当者は、読み込まれた情報が正しいことを確認した後、管理用コンピュータ４の記憶装置に格納する。また、同様に販売した医療機器名、製造番号、販売日、販売金額、販売店名、販売店住所、パスワード、他などを販売者情報入力装置７から入力すると、購入者情報と販売者情報に纏められデータベース化される。
【００２３】
営業担当者は、販売者情報入力装置７から購入者名を入力すると、上記の情報が管理用コンピュータ４に一覧表示されるので、医療機器１を購入した購入者名を管理用コンピュータ４から選び書き込みを実行指示すると、書き込み／読み込み装置３のアンテナ３ａを経由して医療機器の商品１に内蔵された電子タグ２に購入者情報及び販売者情報が書き込まれる。
【００２４】
購入者情報及び販売者情報が書き込まれた医療機器の商品を病院の購入者に納品する。購入者に納品された医療機器の商品１には、どこに住んでいる、誰が、何時、何処の、何という販売店（代理店）で、何と言う医療機器なのか、製造番号は何番か、廃棄時の手数料は支払い済の有無などの情報が電子タグ２に書き込まれている。
【００２５】
次に図３、図５を引用し、商品の廃棄に至る経緯を上記情報読み書き管理装置と関連させて説明する。
【００２６】
病院で医療機器の商品１を長く使用し、医療機器の商品１が古くなり不要となって廃棄する場合、購入者が廃棄手数料支払い済の時は、販売店または販売店と契約している装置（商品）の引取り業者に引取ってもらうことが出来、廃棄手数料支払いが済んでいない場合でも、廃棄手数料を支払うことにより販売店または販売店と契約している装置（商品）の引取り業者に引取ってもらうことが出来る。
【００２７】
販売店または販売店と契約している装置引取り業者で引取った医療機器の商品１には、内蔵された電子タグ２に購入者情報及び販売者情報が記憶されて残っているため、販売店または販売店と契約している装置引取り業者の担当者は、書き込み／読み込み装置３を使用して医療機器の商品１に内蔵された電子タグ２に記憶された購入者情報及び販売者情報を消去すると同時に、管理用コンピュータ４に記憶してある購入者情報及び販売者情報も消去する。
【００２８】
次に図９を引用し、不法投棄の割出を上記情報読み書き管理装置と関連させて説明する。
【００２９】
上記のような廃棄手続きをしないで病院の機器所有者が古くなって使用しなくなった医療機器の商品１を不法投棄廃棄した場合、書き込み／読み込み装置３を使用して医療機器の商品１に内蔵された電子タグ２から購入者情報及び販売者情報を読み取られる。この情報を管理用コンピュータ４に記憶してある情報と照合することで、誰が廃棄したか識別することが出来、不法投棄防止予防や不法投棄した場合の証拠として利用でき、不法投棄予防に大きな効果を上げることが出来る。
【００３０】
また、ハンディの電子タグ読み取り専用通信装置８を使用して、医療機器の商品１に内蔵された電子タグ２から購入者情報及び販売者情報を読み取ることで、廃棄現場にて情報を入手することが出来る。そのため、わざわざ廃棄現場から販売店や販売店と契約している装置引取り業者に装置を持ち込まなくても誰が廃棄したかという情報を容易に入手できる。
【００３１】
次に図７を引用し、故意に行われる情報消去に対する消去防止について、上記情報読み書き管理装置と関連させて説明する。
【００３２】
図７のフローは大部分が図３のフローと共通である。主に違うところを説明する。
【００３３】
医療機器の商品１に内蔵されている電子タグ２に記憶された情報を、故意に強力な磁気などで消去される恐れがある。そこで、消去されても証拠が残るようにバーコード（２次元バーコード含む）等の情報をラベルなどに書き込み商品に貼ることにより、電子タグ２の情報消去に対処できる。また磁気などの影響を受けないように装置（商品）の内部に電子タグ２を配置したりすることにより、強力な磁気による消去防止を図ることができる。
【００３４】
次に図４、図６を引用し、商品の廃棄、および商品の再販について上記情報読み書き管理装置と関連させて説明する。
【００３５】
病院の購入者が購入した医療機器の商品１が古くなり、新しい医療機器の商品１と買い換える場合、リサイクル業者が古くなった医療機器の商品１を引取り、その業者に有る書き込み／読み込み装置３を使用して、医療機器１に内蔵されている電子タグ２から購入者情報及び販売者情報を読み込む。読み込んだ情報を元に、リサイクル業者は販売店に医療機器の商品１を回収したことを報告し、管理用コンピュータ４に記憶された購入者情報及び販売者情報を消去するようお願いする。販売店では、リサイクル業者からの情報を確認した後、管理用コンピュータ４から購入者情報及び販売者情報を消去し、リサイクル業者に医療機器の商品１の電子タグ２に記録されている購入者情報及び販売者情報を、書き込み／読み込み装置３を使用して消去するよう指示し、リサイクル業者が消去する。
【００３６】
図６に示すように、引き取った廃棄品を新にリサイクルされた医療機器の商品１として販売した場合は、新規購入者の情報及び新規販売業者の情報を医療機器１の電子タグ２に書き込み／読み込み装置３を使用して書き込み、販売店にその情報を連絡する。販売店では、新規購入者情報と販売者情報（リサイクル業者が販売店）を管理用コンピュータ４に記憶して、その情報を管理する。新たな購入者が廃棄手数料を負担するようになるので、前の購入者には廃棄手数料を還金する。
【００３７】
次に図８を引用し、購入者情報の秘密保護について上記情報読み書き管理装置と関連させて説明する。
【００３８】
医療機器１の商品に記憶されている情報の読み取り／書き込みにプロテクトをかけることができる。
【００３９】
すなわち、購入者情報にパスワードを含めて、商品１の電子タグ２に登録する。このため、パスワードを含む認証コードを入力しなければ、電子タグに記録されている情報のファイルが開かれない。パスワードを含む認証コードを用いないと、情報の読み取りができないので、機密保護が計られる。また同様に認証コードを入力しなければ、情報の書き込みができないようにして、不用意に書き換えられるのを防止できる。
【００４０】
次に図１０、図１１を引用して説明する。
【００４１】
図１０は、家庭電化製品の商品２０に備える銘板２１に電子タグを設けたものである。この銘板２１に商品名、製造元、製造年月等が印刷される。電子タグは銘板２１の裏面側に内置するのが望ましい。
【００４２】
図１１は、家庭電化製品の商品２０に備えるロゴマーク２２に電子タグを設けたものである。このロゴマーク２２には製品の名称が印刷される。電子タグはロゴマーク２２の裏面側に内置するのが望ましい。
【００４３】
銘板２１やロゴマーク２２は、目に付き易きやすいので、電子タグを設けるところとして好都合である。また、銘板２１やロゴマーク２２は簡単に剥がれるものでもないので、電子タグが紛失してしまう恐れは少ない。
【図面の簡単な説明】
【００４４】
【図１】本発明の実施形態に係わる実施例で、情報保持機能付き商品と情報読み書き管理装置を示す図。
【図２】本発明の実施形態に係わる実施例で、購入者が商品の購入から商品の引渡しに至る経緯を示すフロー図。
【図３】本発明の実施形態に係わる実施例で、購入した商品を廃棄するに至る経緯を示すフロー図。
【図４】本発明の実施形態に係わる実施例で、再販売に関し、購入者が商品の購入から商品の引渡しに至る経緯を示すフロー図。
【図５】本発明の実施形態に係わる実施例で、廃棄する商品の購入者情報に関するフロー図。
【図６】本発明の実施形態に係わる実施例で、購入した商品を廃棄するに至る経緯を再販売を含め示すフロー図。
【図７】本発明の実施形態に係わる実施例で、購入者が商品の購入から商品の引渡しに至る経緯にバーコドの利用も含めて示すフロー図。
【図８】本発明の実施形態に係わる実施例で、購入者が商品の購入から商品の引渡しに至る経緯にパスワードを加えて示すフロー図。
【図９】本発明の実施形態に係わる実施例で、不法投棄の割出を示すフロー図。
【図１０】本発明の実施形態に係わる実施例で、銘板の付いた家庭電化製品の商品を示す図。
【図１１】本発明の実施形態に係わる実施例で、ロゴマークに家庭電化製品の商品を示す図。
【符号の説明】
【００４５】
１…医療機器の商品、２…電子タグ（記憶装置）、２ａ…アンテナ、２ｂ…電子チップ、３…書き込み／読み込み装置、３ａ…アンテナ、４…管理用コンピュータ、５…購入者記入カード、６…購入者記入カード読み込み装置（スキャナー）、７…販売者情報入力装置（キーボード）、８…電子タグ読み取り専用通信装置、２０…商品、２１…銘板、２２…ロゴマーク。
【図１】
2005215734.tif 000003
【図２】
2005215734.tif 000004
【図３】
2005215734.tif 000005
【図４】
2005215734.tif 000006
【図５】
2005215734.tif 000007
【図６】
2005215734.tif 000008
【図７】
2005215734.tif 000009
【図８】
2005215734.tif 000010
【図９】
2005215734.tif 000011
【図１０】
2005215734.tif 000012
【図１１】
2005215734.tif 000013